(57)【要約】【課題】繰り返しおこなわれるカードの装着操作に際し、カードの接触部材と端子部材間に介在する削り粉の量を低減できるカード接続装置の提供。【解決手段】カード１の接触部材２と接触可能なコネクタ５の端子部材６と、接触部材２が端子部材５と接触する所定の引き込み位置までカード１を引き込むギヤ機構３０、ラック３１、移動部材７を含むローディング機構と、このローディング機構を駆動するモータ２９とを備えるとともに、カード１を所定の引き込み位置まで引き込んだ後、接触部材２と端子部材６とが接触した状態で、カード１を引き込み方向とは反対方向に、例えば０．５ｍｍ微動させるようにモータ２９の駆動を制御する駆動制御手段を備えた。【選択図】      図９
2004227328.tif 000002
【特許請求の範囲】
【請求項１】
カードの接触部材と接触可能な複数の端子部材と、上記カードの上記接触部材が上記端子部材と接触する所定の引き込み位置まで上記カードを引き込むローディング機構と、このローディング機構を駆動するモータとを備えたカード接続装置において、
上記カードを上記引き込み位置まで引き込んだ後、このカードの上記接触部材と上記端子部材とが接触した状態で、上記カードを引き込み方向とは反対方向に微動させるように上記モータの駆動を制御する駆動制御手段を備えたことを特徴とするカード接続装置。
【請求項２】
上記請求項１記載の発明において、
上記カードが上記引き込み位置に至ったことを検出するスイッチを備え、
このスイッチから出力される信号に応じて、上記駆動制御手段は上記モータの駆動を制御することを特徴とするカード接続装置。
【請求項３】
上記請求項２記載の発明において、
上記カードを上記引き込み位置に位置決めするストッパ部を設けたことを特徴とするカード接続装置。
【請求項４】
上記請求項１〜３のいずれかに記載の発明において、
上記端子部材が山形状を有し、その頂上に上記カードの上記接触部材と接触する接触部を形成したことを特徴とするカード接続装置。
【発明の詳細な説明】
【０００１】
【発明の属する技術分野】
本発明は、各種電子装置に装着される情報カードを自動的に移送させるローディング機構を備えたカード接続装置に関する。
【０００２】
【従来の技術】
この種の従来技術として、モータと、このモータの動力で情報記憶機能を有するカードを移送させるローディング機構と、このローディング機構によって挿入されたカードの接触部材とそれぞれ接触する接触部を備えた複数の端子部材とを備えたカード接続装置がある。上述したローディング機構は、カードを移送させる複数のローラを備えている。これらのローラは、カード移送路を挟むように上下のそれぞれに配置されている。なお、端子部材は山形状を有し、その頂上にカードの接触部材と接触する上述の接触部が形成されている（特許文献１参照。）。
【０００３】
【特許文献１】
特開２００１−１７５８１５公報
（段落番号００１２〜００１６，００２８〜００３０，図２〜４）
【０００４】
【発明が解決しようとする課題】
図１２は上述した従来技術における問題点を説明する要部拡大側断面図である。この図１２は上述した従来技術において想定されるローディング完了時を示している。
【０００５】
この図１２に示される要部について簡単に説明すると、筐体を構成するハウジング５０内の奥側位置に山形の端子部材５２を有するコネクタ５１が備えられている。カード５３の引き込み位置は、このカード５３の先端部５３ａが例えばコネクタ５１の壁５１ａから距離Ｌ１だけ離れた位置に設定され、この引き込み位置が所定の装着位置を形成している。すなわち、この所定の装着位置において、カード５３は静止保持され、カード５３の接触部材５４とコネクタ５１の端子部材５２とが接触し、カード５３に対する信号の送受信が可能になっている。
【０００６】
ところで、上述の従来技術は図１２に示すように、端子部材５２に接触部材５４が接触する形態でカード５３が所定の装着位置に装着されるが、カード５３の装着が繰り返しおこなわれるに伴って経時的な不具合を生じることがある。
【０００７】
すなわち、カード５３が所定の装着位置に至る際に、カード５３の接触部材５４とコネクタ５１の端子部材５２とが摺動して擦れ合うが、この動作の繰り返しにより微量の削り粉５５が生じる。この削り粉５５の量が多くなり、酸化してカード５３の接触部材５４とコネクタ５１の端子部材５２間に介在するようになると、接触部材５４、端子部材５２間に接触不良を生じるおそれがある。例えば、約６０００回のカード装着操作で１回の接触不良を生じたことを本発明者らは確認している。このような接触不良はカード接続装置としての信頼性を著しく低下させるものである。
【０００８】
本発明は、上記した従来技術における実状からなされたもので、その目的は、繰り返しおこなわれるカードの装着操作に際し、カードの接触部材と端子部材間に介在する削り粉の量を低減させることができるカード接続装置を提供することにある。
【０００９】
【課題を解決するための手段】
上記目的を達成するために、本発明は、カードの接触部材と接触可能な複数の端子部材と、上記カードの上記接触部材が上記端子部材と接触する所定の引き込み位置まで上記カードを引き込むローディング機構と、このローディング機構を駆動するモータとを備えたカード接続装置であることを前提としている。そして特に、上記カードを上記引き込み位置まで引き込んだ後、このカードの上記接触部材と上記端子部材とが接触した状態で、上記カードを引き込み方向とは反対方向に微動させるように上記モータの駆動を制御する駆動制御手段を備えたことを特徴としている。
【００１０】
このように構成した本発明は、ローディング機構を介してカードが引き込み位置まで引き込まれた後、駆動制御手段によってモータの駆動がそれまでの正転駆動から逆転駆動となるように制御される。これにより、ローディング機構が働いてカードが引き込み方向とは反対方向に微動する。
【００１１】
すなわち、カードの接触部材と端子部材とが接触状態に維持されながら、上述した引き込み位置から離れる方向にわずかに戻される。したがって、カードが引き込み位置に至る直前に、カードの接触部材と端子部材との擦れ合いに伴う微量の削り粉を生じたとしても、わずかに戻されるカードの動きによって、上述の微量の削り粉のうちの相当量がカードの戻し方向に放出され、落下する。
【００１２】
このように本発明は、繰り返しおこなわれるカード装着操作に際し、カードの接触部材とコネクタの端子部材間に介在する削り粉の量を低減させることができる。これにより、削り粉に伴うカードの接触部材と端子部材との接触不良を防ぐことができる。
【００１３】
また本発明は、上記発明において、上記カードが上記引き込み位置に至ったことを検出するスイッチを備え、このスイッチから出力される信号に応じて、上記駆動制御手段は上記モータの駆動を制御することを特徴としている。
【００１４】
このように構成した本発明は、駆動制御手段によるモータの逆転駆動制御をスイッチの信号に応じて高い精度で実現できる。
【００１５】
また本発明は、上記発明において、上記カードを上記引き込み位置に位置決めするストッパ部を設けたことを特徴としている。
【００１６】
このように構成した本発明は、カードの戻し距離、すなわちカードの微動距離をストッパ部を基準として設定することができる。このように設定される微動距離に相応するように、モータの逆転駆動を駆動制御手段で実現させればよい。これにより、精度の高いカードの微動動作を実現させることができる。
【００１７】
また本発明は、上記発明において、上記端子部材が山形状を有し、その頂上に上記カードの上記接触部材と接触する接触部を形成したことを特徴としている。
【００１８】
このように構成した本発明は、端子部材の山形状の頂点、及び頂点付近と、カードの接触部材との間に形成される楔形状空間部分に溜まった削り粉の放出、落下に有効である。
【００１９】
【発明の実施の形態】
以下，本発明のカード接続装置の実施形態を図に基づいて説明する。
【００２０】
図１〜１１は本発明の一実施形態を示す図である。図１は本実施形態で使用される情報記憶機能を有するカード１及び本実施形態に備えられるコネクタ５を示す平面図、図２は本実施形態に備えられる移動部材７を示す平面図である。
【００２１】
図１に示すように、本実施形態で使用されるカード１はコネクタ５の端子部材６に接触する接触部材２を裏面に備え、一方の側縁に第１凹部３を、他方の側縁に第２凹部４を有する。コネクタ５の端子部材６は山形状を有し、その頂上にカード１の接触部材２と接触する接触部を形成してある。また、上述した第１凹部３、第２凹部４は、カード１の移送方向に対し、互いにずらした位置に設けてある。すなわち、後述のローディング機構によって挿入された状態で、カード１の第１凹部３が奥側に位置し、第２凹部４が手前側に位置するようになっている。
【００２２】
上述のカード１を移送させる図２に示す移動部材７は、裏面にカード１の先端部が係止される係止部を有する。またこの移動部材７は、同図２に示すように両側縁部のそれぞれに、カード１の第１凹部３に係合可能な第１係合部材８と、第２凹部４に係合可能な第２係合部材１０とを備えている。これらの第１係合部材８、第２係合部材１０は、カード１の第１凹部３、第２凹部４に対応させて、その移動部材７の移動方向、すなわち図２に示す矢印３６方向に対し、互いにずらした位置に設けてある。
【００２３】
なお、図１においては、移動部材７の本体を除き、第１係合部材８、第２係合部材１０だけを描いてある。この図１にも示すように、第１係合部材８は下方に向って伸設されたピン９を備えるとともに、移動部材７の本体に設けられた軸１２を回動支点として回動可能になっている。同様に、第２係合部材１０も下方に向って伸設されたピン１１を備えるとともに、移動部材７の本体に設けた軸１３を回動支点として回動可能になっている。
【００２４】
図３は本実施形態にカード１を挿入した初期形態において、シャーシ１６を覆うカバーを取り外した状態を示す平面図、図４は図３に示す初期形態において、移動部材７及びこの移動部材７の駆動機構を取り外した状態を示す平面図である。
【００２５】
図３に示すように、本実施形態は、モータ２９と、このモータ２９の駆動によって回転するギヤ機構３０と、このギヤ機構３０の回転により直進動するラック３１を備えている。また、一端をラック３１に連結され、他端を図２に示す移動部材７に連結されるばね３２を備えている。さらに、移動部材７の係合により作動する第１スイッチ２７、第２スイッチ２８を備えている。第１スイッチ２７は、例えば移動部材７が係合しない状態ではＯＮ信号を出力し、移動部材７が係合したときにＯＦＦ信号を出力する。第２スイッチ２８は、例えば移動部材７が係合しない状態ではＯＦＦ信号を出力し、移動部材７が係合したときにＯＮ信号を出力する。
【００２６】
上述したギヤ機構３０、ラック３１、及びばね３２によって、移動部材７を移動させる駆動機構が構成されている。
【００２７】
この駆動機構と、移動部材７と、第１スイッチ２７と、第２スイッチ２８とにより、シャーシ１６の挿入口３３から挿入されたカード１を移送させるローディング機構が構成されている。
【００２８】
また本実施形態は、図４に示すように、シャーシ１６の両側縁部に沿ってそれぞれカム溝を含む第１溝２５、第２溝２６を設けてある。前述した移動部材７の第１係合部材８のピン９は、第１溝２５内に摺動可能に設けてある。同様に、第２係合部材１０のピン１１は、第２溝２６内に摺動可能に設けてある。
【００２９】
上述したピン９と第１溝２５は、第１係合部材８を回動させる第１回動手段を構成し、ピン１１と第２溝２６は、第２係合部材１０を回動させる第２回動手段を構成している。
【００３０】
図３，４に示すように、カード１がシャーシ１６の挿入口３３から軽く挿入された初期形態では、移動部材７と第１スイッチ２７との間に数ミリ程度の隙間が確保されるようにあらかじめ設定してある。従って、第１スイッチ２７は前述のようにＯＮ状態に維持される。
【００３１】
図５は図３に示す初期状態からカード１が押し込まれ、ローディングが開始されたときの形態において、カバーを取り外した状態を示す平面図である。図６はローディングが完了した形態において、カバーを取り外した状態を示す平面図、図７は図６に示すローディング完了形態において、移動部材７及びこの移動部材７の駆動機構を取り外した状態を示す平面図である。図８はイジェクト完了形態において、カバーを取り外した状態を示す平面図である。
【００３２】
本実施形態は、例えば図７に示すように、移動部材７の第１係合部材８をカード１の第１凹部３に係合させ、第２係合部材１０を第２凹部４に係合させたときに、装置の奥側に位置する第１係合部材８の回動支点すなわち軸１２が、シャーシ１６に形成されたカード１の挿入口３３と第１凹部３との間の領域に位置するようにあらかじめ設定してある。
【００３３】
図９は本発明の一実施形態に備えられるモータ駆動制御回路を示すブロック図である。
【００３４】
この図９に示すモータ駆動制御回路は、前述した第１スイッチ２７、第２スイッチ２８、及びイジェクト釦３４と、これらの第１スイッチ２７、第２スイッチ２８、イジェクト釦３４から出力される信号に応じてモータ２９の駆動を制御する制御装置４０とから成っている。
【００３５】
制御装置４０は、第１スイッチ２７、第２スイッチ２８、イジェクト釦３４から出力される信号を入力する入力部４０ａと、カード１を所定の引き込み位置から戻す微動距離、例えば０．５ｍｍに相応するモータ２９の駆動信号値を記憶する記憶部４０ｃを備えている。また、この制御装置４０は、論理判断、演算機能を有する演算部４０ｂと、この演算部４０ｂにおける演算結果に相応する制御信号をモータ２９に出力する出力部４０ｄも備えている。
【００３６】
上述した演算部４０ｂは、カード１の接触部材２がコネクタ５の端子部材６と接触する所定の引き込み位置まで、カード１を引き込んだ後、このカード１の接触部材２と端子部材６とが接触した状態で、カード１を引き込み方向とは反対方向に微動させるようにモータ２９の駆動を制御する駆動制御手段を含んでいる。
【００３７】
以下、上述のように構成した本実施形態の基本動作を主に図４〜８に基づいて説明し、本実施形態の特徴とする動作を図９〜１１に基づいて説明する。
【００３８】
［初期形態］
図３，４はシャーシ１６の挿入口３３からカード１が軽く挿入された初期形態を示している。この形態にあっては、第１スイッチ２７はＯＮに保持されており、モータ２９は作動しない。また、図４に示すように、移動部材７に設けられた第１係合部材８はカード１の第１凹部３に係合していない。同様に第２係合部材１０もカード１の第２凹部４に係合していない。
【００３９】
［ローディング開始］
上述の初期形態から図５の矢印３５方向にカード１が例えば数ｍｍ程度押し込まれると、このカード１の先端部が移動部材７の係止部に係止され、カード１の押し込み動作に伴って移動部材７がばね３２の力に抗して移動する。これにより移動部材７が第１スイッチ２７に係合し、この第１スイッチ２７がＯＦＦとなる。この第１スイッチ２７のＯＦＦ信号によりモータ２９が作動し、ギヤ機構３０を介してラック３１の移動が始まる。すなわちローディングが開始される。
【００４０】
また、上述したカード１の押し込み動作に伴う移動部材７の移動により、前述した第１係合部材８のピン９が第１溝２５に含まれるカム溝上を摺動し、また、第２係合部材１０が第２溝２６に含まれるカム溝上を摺動する。これにより、第１係合部材８が軸１２を中心に回動し、カード１の第１凹部３に係合する。同様に、第２係合部材１０が軸１３を中心に回動し、第２凹部４に係合する。従って、ローディングが始まってラック３１が装置の奥側に向って移動すると、ばね３２を介して移動部材７とカード１とが一体となって装置の奥側に向って移動する。
【００４１】
［ローデイング完了］
上述のようにラック３１の移動に追従するようにして移動する移動部材７が、図６，７に示すように第２スイッチ２８に係合すると、この第２スイッチ２８がそれまでのＯＦＦからＯＮとなる。
【００４２】
ここで、図１０は図９に示したモータ駆動制御回路に備えられる制御装置の演算部で実施される主要処理を示すフローチャートである。図１１は本発明の一実施形態におけるローディング完了の際の動作を示す図で、（ａ）図はローディング完了直前の状態を示す要部拡大側断面図、（ｂ）図はローディング完了時の状態を示す要部拡大側断面図である。
【００４３】
図１０の手順Ｓ１に示すように、図９に示す制御装置４０の演算部４０ｂは、入力部４０ａを介して第２スイッチ２８の信号を入力し、手順Ｓ２に示すように第２スイッチ２８の信号がＯＮかどうか判断する。今はＯＮとなったので手順Ｓ３に移り、上述した駆動制御手段によるモータ微動制御が実施される。
【００４４】
すなわち、記憶部４０ｃに記憶されている微動距離０．５ｍｍに相当するモータ２９の駆動信号値が演算部４０ｂに読み出され、その駆動信号値に相応する制御信号がモータ２９に出力される。
【００４５】
図１１の（ａ）図は、カード１が所定の引き込み位置に至った状態を示している。すなわち、上述のように第２スイッチ２８がＯＮとなった時点でモータ２９が作動を一旦停止する。例えばこのときの慣性により、その先端部１ａが、コネクタ５の壁部５ａから突出形成されたストッパ部５ｂに当接するまで、カード１が移動する。
【００４６】
ストッパ部５ｂの長さ寸法は、例えば前述した図１２に示す従来技術において、所定の引き込み位置にカード１が停止したときのコネクタ５１の壁部５１ａとカード１の先端部５３ａ間の寸法Ｌ１に等しく設定してある。
【００４７】
この状態から直ちに上述のように駆動制御手段によって、微動距離Ｌ２  （＝０．５ｍｍ）に相当するモータ２９の駆動信号値に相当する制御信号がモータ２９に出力されると、モータ２９がそれまでの正転駆動から逆転駆動に変化する。これにより、上述したギヤ機構３０、ラック３１を介して移動部材７が挿入口３３方向にわずかに戻される。すなわち、カード１の接触部材２とコネクタ５の端子部材６との接触が維持された状態で、カード１が微動距離Ｌ２（＝０．５ｍｍ）引き込み方向とは反対方向に戻される。所定の装着位置に至ってモータ２９は停止する。なお、この状態にあっては、第２スイッチ２８は引き続きＯＮのままに保たれる。この所定の装着位置において、カード１に対する所望の信号の送受信が可能となる。
【００４８】
［イジェクト動作］
カード１を排出させる場合には、図８に例示する別に設けられたイジェクト釦３４が操作される。このイジェクト釦３４の操作信号に応じてモータ２９が再び逆転駆動を開始する。
【００４９】
これにより、ギヤ機構３０を介してラック３１がローディング時とは逆方向、すなわち挿入口３３方向に移動を開始するイジェクト動作が実施される。ラック３１の移動によりばね３２を介して移動部材７、及びカード１が挿入口３３方向に移動し、移動部材７と第２スイッチ２８との係合が解かれる。これに伴い、第２スイッチ２８は、それまでのＯＮからＯＦＦとなる。
【００５０】
ラック３１の移動に伴って移動部材７がさらに移動し、この移動部材７と第１スイッチ２７との係合が解かれると、この第１スイッチ２７は、それまでのＯＦＦからＯＮとなる。この第１スイッチ２７のＯＮ信号によりモータ２９は停止する。これによりギヤ機構３０は回転を停止し、ラック３１は直線動を停止し、ばね３２を介して移動部材７、及びカード１は移動を停止する。すなわちカード１が所定の排出位置まで移送され、イジェクト完了となる。図８は、このイジェクト完了時の形態を示している。
【００５１】
なお、この間、移動部材７の第１係合部材８のピン９が第１溝２５のカム溝上を摺動することにより、この第１係合部材８が前述とは逆方向に回動し、この第１係合部材８がカード１の第１凹部３から離脱する。すなわち係合が解除される。同様に、第２係合部材１０のピン１１が第２溝２６のカム溝上を摺動することにより、この第２係合部材１０が前述とは逆方向に回動し、この第２係合部材８が第２凹部４から離脱し、係合が解除される。
【００５２】
図８に示す形態は前述のようにイジェクト完了形態を示しているが、この形態は前述した図３に示すカード１の挿入時の初期形態に一致する。
【００５３】
このように構成した本実施形態によれば、カード１の移送に際し、カード１の一方の側縁に形成される第１凹部３に第１係合部材８が係合し、他方の側縁に形成される第２凹部４に第２係合部材１０が係合した状態において移送がおこなわれるので、移送のためのローラ等を要することがない。従って、薄型化を実現できる。また、カード１の両側縁に移送のための力が伝えられるので、このカード１の移送中に、傾きを生じることが少なく、従って移送路を形成するシャーシ１６の側壁にカード１が接することなく、このカード１を移送させることができる。これにより、カード１の移送に伴う抵抗を小さく抑えることができ、従って、容量の比較的小さなモータ２９による移送を実現でき、製作費を安くすることができる。
【００５４】
また、移動部材７の移動に伴って、第１係合部材８のピン９をカム溝を含む第１溝２５上を摺動させることにより、第１係合部材８を回動させ、第２係合部材１０のピン１１をカム溝を含む第２溝２６上を摺動させることにより、第２係合部材１０を回動させ、それぞれ第１凹部３、第２凹部４に対し、係合、離脱させるようにしてある。これにより、第１，第２凹部３，４に対する第１，第２係合部材８，９の係合、離脱を確実におこなわせることができ、カード１の安定した移送の実現に貢献する。
【００５５】
また、第１溝２５とピン９との組み合わせ、第２溝２６とピン１１との組み合わせにより、第１，第２係合部材８，９を回動させるようにしてあり、これらの第１，第２溝２５，２６、及びピン９，１１は簡単な構造とすることができる。これにより、製作費を安く抑えることができる。
【００５６】
また、第１凹部３、第２凹部４を、カード１の移送方向に対して、互いにずらした位置にそれぞれ設けるとともに、第１係合部材８、第２係合部材１０を、移動部材７の移動方向に対し、互いにずらした位置に設けてある。これにより、第１，第２係合部材８，１０の配置が一義的でなく、すなわち、第１，第２係合部材８，１０を移動部材７の移動方向と直交する方向の対応する位置に設けることに限定されず、これらの第１，第２係合部材の配置設計に対する自由度を確保できる。従って、移動部材７の移動に伴う第１，第２係合部材８，１０の移動路上に選択的に部品配置空間を確保でき、このような配置空間に別のスイッチ等の特定の部品を設けることも可能となる。
【００５７】
また、カード１の第１凹部３が装置の奥側に位置し、第１係合部材８を第１凹部３に係合させたときに、第１係合部材８の回動支点を形成する軸１２が、カード１の挿入口３３と第１凹部３との間に位置するようにあらかじめ設定してある。これにより、カード１が図６，７に示す所定のカード装着位置に至ったとき、この第１係合部材８の軸１２部分と、装置奥側に位置する部品との干渉を防止でき、カード１の安定した移送に貢献する。
【００５８】
そして特に、本実施形態は、ローディング機構を介してカード１が図１１の（ａ）図に示す所定の引き込み位置まで引き込まれた後、制御装置４０の演算部４０ｂに含まれる駆動制御手段によって、モータ２９が逆転駆動し、ローディング機構が働いてカード１が引き込み方向と反対方向、すなわち同図１１の（ａ）図における矢印４２方向に微動する。つまり、カード１の接触部材２とコネクタ５の端子部材６とが接触状態に維持されながら、図１１の（ｂ）図に示すように、引き込み位置から微動距離Ｌ２（＝０．５ｍｍ）だけ戻される。したがって、カード１が図１１の（ａ）図に示す引き込み位置に至る直前に、図１１の（ａ）図に示すように、カード１の接触部材２とコネクタ５の端子部材６との擦れ合いに伴う微量の削り粉４１を生じたとしても、カード１の動きにより除去される。すなわち、わずかに戻されるカード１の動きによって、上述の微量の削り粉４１のうちの相当量が、図１１の（ｂ）図の矢印４３に示すように、カード１の戻し方向に放出され、落下する。このように本実施形態は、繰り返しおこなわれるカード装着操作に際し、カード１の接触部材２とコネクタ５の端子部材６間に介在する削り粉４１の量を低減できる。これにより、削り粉４１に伴うカード１の接触部材２とコネクタ５の端子部材６との接触不良を防ぐことができ、カード接続装置としての高い信頼性が得られる。
【００５９】
また、制御装置４０の演算部４０ｂに含まれる駆動制御手段によるモータ２９の逆転駆動制御を、第２スイッチ２８の信号に応じて高い精度で実現できる。
【００６０】
また、カード１の引き込み位置からの戻し距離、すなわちカード１の微動距離Ｌ２（＝０．５ｍｍ）を、コネクタ５の壁部５ａに設けたストッパ部５ｂを基準として設定できる。このように設定される微動距離Ｌ２（＝０．５ｍｍ）に相応するように、モータ２９の逆転駆動を上述の駆動制御手段で実施させればよい。これにより、精度の高いカード１の微動動作を実現させることができる。
【００６１】
【発明の効果】
以上述べたように本発明は、繰り返しおこなわれるカード１の装着操作に際し、カードの接触部材と端子部材間に介在する削り粉の量を低減させることができ、削り粉に伴うカードの接触部材と端子部材との接触不良を防ぐことができ、従来に比べてカード接続装置としての信頼性を高めることができる。
【図面の簡単な説明】
【図１】本発明のカード接続装置の一実施形態で使用されるカード及び一実施形態に備えられるコネクタを示す平面図である。
【図２】本発明の一実施形態に備えられる移動部材を示す平面図である。
【図３】本発明の一実施形態にカードを挿入した初期形態において、カバーを取り外した状態を示す平面図である。
【図４】図３に示す初期形態において、移動部材及びこの移動部材の駆動機構を取り外した状態を示す平面図である。
【図５】図３に示す初期形態からカードが押し込まれ、ローディングが開始されたときの形態において、カバーを取り外した状態を示す平面図である。
【図６】ローディングが完了した形態において、カバーを取り外した状態を示す平面図である。
【図７】図６に示すローディング完了形態において、移動部材及びこの移動部材の駆動機構を取り外した状態を示す平面図である。
【図８】イジェクト完了形態において、カバーを取り外した状態を示す平面図である。
【図９】本発明の一実施形態に備えられるモータ駆動制御回路を示すブロック図である。
【図１０】図９に示したモータ駆動制御回路に備えられる制御装置の演算部で実施される主要処理を示すフローチャートである。
【図１１】本発明の一実施形態におけるローディング完了間際の動作を示す図で、（ａ）図はローディング完了直前の状態を示す要部拡大側断面図、（ｂ）図はローディング完了時の状態を示す要部拡大側断面図である。
【図１２】従来技術における問題点を説明する要部拡大側断面図である。
【符号の説明】
１    カード
１ａ  先端部
２    接触部材
５    コネクタ
５ａ  壁部
５ｂ  ストッパ部
６    端子部材
７    移動部材（ローディング機構）
１６  シャーシ
２７  第１スイッチ（ローディング機構）
２８  第２スイッチ（ローディング機構）
２９  モータ
３０  ギヤ機構（ローディング機構）
３１  ラック（ローディング機構）
３２  ばね（ローディング機構）
３４  イジェクト釦
４０    制御装置
４０ａ  入力部
４０ｂ  演算部
４０ｃ  記憶部
４０ｄ  出力部
４１    削り粉
【図１】
2004227328.tif 000003
【図２】
2004227328.tif 000004
【図３】
2004227328.tif 000005
【図４】
2004227328.tif 000006
【図５】
2004227328.tif 000007
【図６】
2004227328.tif 000008
【図７】
2004227328.tif 000009
【図８】
2004227328.tif 000010
【図９】
2004227328.tif 000011
【図１０】
2004227328.tif 000012
【図１１】
2004227328.tif 000013
【図１２】
2004227328.tif 000014